(57)【要約】【課題】テーブル什器にディスプレイ支持什器が連結されてなるテーブルシステムにおいて、ディスプレイ支持什器の転倒方向に作用するモーメントに対する強度的な不安を解消する。【解決手段】テーブル什器は、天板の下面側に設けられると共に天板の側面側が開口端とされる凹所２０１を有し、ディスプレイ支持什器３００は、脚部３０と、当該脚部３０側から上方に向けて延設されると共にディスプレイが固定される縦腕部３４と、脚部３０側から側方に向けて延設されてテーブル什器の凹所２０１に挿入されると共に天板１１に固定される横腕部３３とを備える。【選択図】図４
2015084990.tif 000002
【特許請求の範囲】
【請求項１】
作業面を形成する天板及び当該天板を支持する複数の脚部を有するテーブル什器と、前記天板より上方においてディスプレイを支持すると共に前記テーブル什器と連結されるディスプレイ支持什器とを有するテーブルシステムであって、
前記テーブル什器は、前記天板の下面側に設けられると共に前記天板の側面側が開口端とされる凹所を有し、
前記ディスプレイ支持什器は、脚部と、当該脚部側から上方に向けて延設されると共に前記ディスプレイが固定される縦腕部と、前記脚部側から側方に向けて延設されて前記テーブル什器の前記凹所に挿入されると共に前記天板に固定される横腕部と
を備えることを特徴とするテーブルシステム。
【請求項２】
前記テーブル什器が、箱状の引出し本体と当該引出し本体をスライド可能に支持する支持手段とを有する引出し機構を複数備え、
前記凹所は、前記引出し本体の１つの取り外すことによって形成された引出し収容空間である
ことを特徴とする請求項１記載のテーブルシステム。
【請求項３】
前記テーブル什器の前記脚部同士の間に前記引出し収容空間が設けられていることを特徴とする請求項２記載のテーブルシステム。
【請求項４】
前記脚部から側方に向けて延設される角材からなる前記横腕部を２本有し、各横腕部が前記凹所の水平方向の各端部に配置されていることを特徴とする請求項１〜３いずれかに記載のテーブルシステム。
【発明の詳細な説明】
【技術分野】
【０００１】
本発明は、テーブルシステムに関するものである。
【背景技術】
【０００２】
オフィスや公共施設等における執務空間では、ディスプレイを用いてのミーティング等が一般的に行われている。例えば、特許文献１及び特許文献２には、このようなディスプレイを用いたミーティング等を可能とするために、天板の上方にディスプレイを支持可能なテーブル什器が開示されている。
【０００３】
ところが、このようなテーブル什器では、天板上の作業面を広く確保するために、ディスプレイの支持部が、天板の縁部近くに配置されている。このため、ディスプレイを設置した場合には、ディスプレイを含めたテーブル什器の重心が偏る。よって、大型のディスプレイを設置することが難しい。そこで、例えば、特許文献３及び特許文献４には、テーブル什器とは別体の什器（ディスプレイ支持什器）にディスプレイを設置し、この什器をテーブル什器に連結する構成が提案されている。
【先行技術文献】
【特許文献】
【０００４】
【特許文献１】特開２０１３−１０２９９４号公報
【特許文献２】特許第４２８１９５２号公報
【特許文献３】特許第４５４７５７０号公報
【特許文献４】特許第４６６５５７６号公報
【発明の概要】
【発明が解決しようとする課題】
【０００５】
上述のようなテーブル什器とは別体のディスプレイ支持什器によってディスプレイを支持する構成を採用することによって、テーブル什器を介することなくディスプレイからの垂直荷重を床面にて受けることができる。このため、ディスプレイを安定して支持することが可能となる。
【０００６】
しかしながら、例えば作業者が寄りかかる等によって、ディスプレイ支持什器が傾いた場合には、ディスプレイ支持什器の転倒方向（ディスプレイの前後方向）にモーメントが発生し、このモーメントをテーブル什器とディスプレイ支持什器との連結部分で受けることになる。従来においては、テーブル什器とディスプレイ支持什器との連結は、ビス等の簡易的なものであることから、今後さらなるディスプレイの大型化が進むとなると、上記モーメントに対する強度的な不安が生じる。
【０００７】
本発明は、上述する問題点に鑑みてなされたもので、テーブル什器にディスプレイ支持什器が連結されてなるテーブルシステムにおいて、ディスプレイ支持什器の転倒方向に作用するモーメントに対する強度的な不安を解消することを目的とする。
【課題を解決するための手段】
【０００８】
本発明は、上記課題を解決するための手段として、以下の構成を採用する。
【０００９】
第１の発明は、作業面を形成する天板及び当該天板を支持する複数の脚部を有するテーブル什器と、上記天板より上方においてディスプレイを支持すると共に上記テーブル什器と連結されるディスプレイ支持什器とを有するテーブルシステムであって、上記テーブル什器は、上記天板の下面側に設けられると共に上記天板の側面側が開口端とされる凹所を有し、上記ディスプレイ支持什器は、脚部と、当該脚部側から上方に向けて延設されると共に上記ディスプレイが固定される縦腕部と、上記脚部側から側方に向けて延設されて上記テーブル什器の上記凹所に挿入されると共に上記天板に固定される横腕部とを備えるという構成を採用する。
【００１０】
このような構成を採用する本発明によれば、ディスプレイ支持什器が脚部側から側方に向けて延設される横腕部を有しており、この横腕部がテーブル什器に形成された凹所に挿入された状態でテーブル什器とディスプレイ支持什器とが連結される。このような横腕部を設けることによって、横腕部の延在方向の複数個所においてテーブル什器とディスプレイ支持什器とを連結することができ、単にテーブル什器と横腕部を有していないディスプレイ支持什器とを並べてビス等で連結する場合と比較して、連結箇所を増設することができる。このため、１つの連結箇所に作用する応力を低減させることができる。さらに、横腕部は脚部から側方に向けて延設されていることから、ディスプレイ支持什器を転倒させようとするモーメントの中心から遠く離間した位置（すなわちモーメントが小さい位置）においてテーブル什器とディスプレイ支持什器とを連結することができ、連結部に作用する応力を低減させることができる。さらに横腕部を設けることによって、ディスプレイ支持什器とテーブル什器との接触面積が増加し、連結箇所に局所的に大きな応力が作用することを抑止することができる。したがって、本発明によれば、テーブル什器にディスプレイ支持什器が連結されてなるテーブルシステムにおいて、ディスプレイ支持什器の転倒方向に作用するモーメントに対する強度的な不安を解消することができる。
【００１１】
第２の発明は、上記第１の発明において、上記テーブル什器が、箱状の引出し本体と当該引出し本体をスライド可能に支持する支持手段とを有する引出し機構を複数備え、上記凹所は、上記引出し本体の１つの取り外すことによって形成された引出し収容空間であるという構成を採用する。
【００１２】
このような構成を採用する本発明によれば、別途凹所を形成することなく、元々設置されている引出し機構の引出し収容空間を利用してテーブル什器とディスプレイ支持什器とを連結することができる。また、テーブル什器をディスプレイ支持什器から離間させて使用する場合には、凹所に引出し本体を収容することができるため、テーブル什器の使い勝手を高めることができる。
【００１３】
第３の発明は、上記第２の発明において、上記テーブル什器の上記脚部同士の間に上記引出し収容空間が設けられているという構成を採用する。
【００１４】
このような構成を採用する本発明によれば、引出し収容空間に引出し本体を収容して使用する場合に、脚部と引出し本体とを一体的とすることができ、テーブル什器の体裁を良好に収めることが可能となる。
【００１５】
第４の発明は、上記第１〜第３いずれかの発明において、上記脚部から側方に向けて延設される角材からなる上記横腕部を２本有し、各横腕部が上記凹所の水平方向の各端部に配置されているという構成を採用する。
【００１６】
このような構成を採用する本発明によれば、凹所の水平方向の２つの端部の各々に横腕部が近接あるいは当接して配置される。このため、横腕部が凹所に挿入されている状態で、テーブル什器が水平方向に移動することを抑制することができる。
【発明の効果】
【００１７】
本発明によれば、ディスプレイ支持什器が横腕部を備えていることから、ディスプレイ支持什器とテーブル什器との連結箇所を増設し、ディスプレイ支持什器を転倒させようとするモーメントの中心から遠く離間した位置においてテーブル什器とディスプレイ支持什器とを連結することができ、ディスプレイ支持什器とテーブル什器との接触面積を増加させることができ、これによってディスプレイ支持什器の転倒方向に作用するモーメントに対する強度的な不安を解消することが可能となる。
【図面の簡単な説明】
【００１８】
【図１】全ての引出しが収容された状態における本発明の一実施形態におけるテーブルシステムの斜視図である。
【図２】全ての引出しが引き出された状態における本発明の一実施形態におけるテーブルシステムの斜視図である。
【図３】本発明の一実施形態におけるテーブルシステムが備えるモニタースタンドの要部を示す正面図である。
【図４】本発明の一実施形態におけるテーブルシステムが備えるモニタースタンドの要部を示す側面図である。
【図５】本発明の一実施形態におけるテーブルシステムが備えるバックパネルの全体図である。
【図６】本発明の一実施形態におけるテーブルシステムが備えるアンダーカバーの全体図である。
【発明を実施するための形態】
【００１９】
以下、図面を参照して、本発明に係るテーブルシステムの一実施形態について説明する。なお、以下の図面においては、各部材を認識可能な大きさとするために、各部材の縮尺を適宜変更している。
【００２０】
本実施形態においては、第一テーブル什器１００、第二テーブル什器２００（テーブル什器）及びモニタースタンド３００（ディスプレイ支持什器）を備えるテーブルシステム１について説明する。図１は、全ての引出し本体２１が収容された状態における本実施形態のテーブルシステム１の斜視図である。また、図２は、引出し本体２１が引き出された状態における本実施形態のテーブルシステム１の斜視図である。なお、以下においては、説明の便宜上、図１及び図２の矢印に示すように、第一テーブル什器１００、第二テーブル什器２００及びモニタースタンド３００が連結される方向を左右方向とし、これと直交する水平方向を前後方向とする。
【００２１】
第一テーブル什器１００は、天板１１、脚部１２、引出し機構１３及びダクト１４を備えている。天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をビス止めするためのビス穴が複数設けられている。
【００２２】
脚部１２は、４か所に設けられており、図１及び図２に示すように天板１１の角部に設けられている。各脚部１２の下端部には、前後方向に向けて配置される回転軸によって回転可能に支持されたローラが設けられている。これによって、第一テーブル什器１００は左右方向に移動可能とされている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２３】
引出し機構１３は、脚部１２同士の間に配置されている。本実施形態においては、全ての脚部１２同士の間に引出し機構１３が設置されている。なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００２４】
第１引出し機構１３ａは、支持レール２０（支持手段）と、引出し本体２１とから構成されている。支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向と直交する方向（前後方向）における一方の端部を支持し、他方の支持レール２０が引出し本体２１の他方の端部を支持する。
【００２５】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネルが後側を向けて配置される。第３引出し機構１３ｃの引出し本体２１は、前面パネルが左側を向けて配置される。第４引出し機構１３ｄの引出し本体２１は、前面パネルが前側を向けて配置される。他の構成については、  第２引出し機構１３ｂ、第３引出し機構１３ｃ及び第４引出し機構１３ｄは、第１引出し機構１３ａと同様の構成をしている。
【００２６】
図１に戻り、ダクト１４は、上方から見て天板１１の中央に配置されるように、天板１１の下面に固定されている。このダクト１４は、引出し本体２１等を介して送り配線された配線を支持可能とされている。
【００２７】
第二テーブル什器２００は、第一テーブル什器１００と略同一の構成を有している。ここでは、第二テーブル什器２００の第一テーブル什器１００と異なる点のみについて説明する。
【００２８】
第二テーブル什器２００の各脚部１２の下端部には、第一テーブル什器１００の各脚部１２の下端部に設けられているローラに替わり、アジャスタが設けられている。これは、第一テーブル什器１００は、テーブルシステム１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００２９】
また、第二テーブル什器２００においては、第一テーブル什器１００における第３引出し機構１３ｃの引出し本体２１が取り外されている。このように、第３引出し機構１３ｃの引出し本体２１が取り外されることによって、後述するモニタースタンド３００の固定用アーム３３が挿入される凹所２０１（図３参照）が形成される。この凹所２０１は、第二テーブル什器２００の脚部１２同士の間に設けられるものであり、天板１１の下面側に設けられ、下方に向けて開放されると共に天板１１の側面側が開口端とされている。
【００３０】
図３及び図４は、モニタースタンド３００の全体図であり、図３がコンソールボックス３２、バックパネル３７及びアンダーカバー３８を除いた正面図（図１における右側から見た図）であり、図４がコンソールボックス３２を含む側断面図（図１における後側から見た図）である。このようなモニタースタンド３００は、脚部３０と、配線トレイ３１と、コンソールボックス３２と、固定用アーム３３（横腕部）と、支持用アーム３４（縦腕部）と、水平支持部３５と、ブラケット３６と、バックパネル３７と、アンダーカバー３８とを備えている。
【００３１】
脚部３０は、床面に対して当接される２つで一対の脚体部３０ａと、これらの脚体部３０ａ同士を接続する接続部３０ｂとを備えている。脚体部３０ａは、脱着可能な蓋部３０ｃが設けられた中空体であり、内部に配線を通すことが可能に構成されている。蓋部３０ｃは、各脚体部３０ａの他の脚体部３０ａ側の側壁として設けられている。この蓋部３０ｃは、下端に貫通孔３０ｄが設けられると共に上端が配線トレイ３１よりも低い位置において脚体部３０ａの内部が露出するような長さに設定されている。これによって、脚体部３０ａの下端と、配線トレイ３１の接続位置近傍において、脚体部３０ａの内部に配線の引き込みが可能とされている。接続部３０ｂは、脚体部３０ａの上端部同士を連結している。この接続部３０ｂは、コンソールボックス３２と、固定用アーム３３と、支持用アーム３４とが固定される基台としても機能する。
【００３２】
配線トレイ３１は、接続部３０ｂよりも下方において、一端が一方の脚体部３０ａに、他端が他方の脚体部３０ａに接続されることによって、水平姿勢にて支持されている。この配線トレイ３１は、延在方向と直交する断面の形状が凹状とされており、脚体部３０ａの内部から引き出された配線の一部を収容かつ案内する。このような配線トレイ３１によって、配線が絡まる等の不具合を防止することができる。
【００３３】
コンソールボックス３２（図１及び図２参照）は、固定用アーム３３を介して接続部３０ｂ上に配置されており、電子機器を収容するための箱部材である。このコンソールボックス３２は、前面パネル３２ａが開閉可能とされており、前面パネル３２ａを開放することによって、内部に電子機器を設置したり、内部に設置された電子機器を操作したりすることが可能とされている。なお、このようなコンソールボックス３２に収容される電子機器としては、例えば、床から引き出されたＬＡＮ配線を、第一テーブル什器１００あるいは第二テーブル什器２００にて作業を行う複数の作業者の各パーソナルコンピュータに分岐するためのハブやルータ等が考えられる。
【００３４】
固定用アーム３３は、脚部３０から側方に向けて延設される角材からなる部位であり、第二テーブル什器２００の第３引出し機構１３ｃの引出し本体２１が取り外されることによって形成された凹所２０１に挿入されている。この固定用アーム３３は、引出し本体２１の奥行と略同一の長さを有しており、先端側と中央部とにおいてボルト３３ａによって、第二テーブル什器２００の天板に対して固定されている。また、この固定用アーム３３は、根元側にコンソールボックス３２がボルト３３ｂによって固定されている。
【００３５】
このような固定用アーム３３は、図１及び図２等に示すように、前後方向に離間して平行に２本備えられている。これらの固定用アーム３３は、凹所２０１に挿入されている状態にて、図３に示すように、凹所２０１の水平方向の各端部に配置されており、第二テーブル什器２００とモニタースタンド３００とが図１及び図２に示す前後方向に相対的に水平移動することを防止する。
【００３６】
支持用アーム３４は、下端が固定用アーム３３の根元端と一体化され、脚部３０側から上方に向けて延設される角材からなる部位である。この支持用アーム３４は、各固定用アーム３３に接続されており、固定用アーム３３と一体化されることによって、略Ｌ字状の部材を形成している。これらの支持用アーム３４は、水平支持部３５及びブラケット３６を介し、本発明のディスプレイに相当するモニターＭ（図１及び図２参照）を支持する。
【００３７】
水平支持部３５は、２本の支持用アーム３４同士に接続された角材であり、上下方向に離間して２本備えられている。ブラケット３６は、モニターＭの背面に装着され、図４に示す係止金具３６ａによって水平支持部３５に係止される。より詳細には、図４に示すように、ブラケット３６の上端側と下端側との各々に水平支持部３５に上方から係止可能な係止金具３６ａが取り付けられており、これらの係止金具３６ａが水平支持部３５に上方から係止されることによってブラケット３６が水平支持部３５に対して取り付けられる。また、ブラケット３６には、図４に示すように、抜け止め用のビス３６ｂが着脱自在に設けられている。この抜け止め用のビス３６ｂは、ブラケット３６を水平支持部３５に対して着脱するときには取り外され、ブラケット３６が水平支持部３５に固定されているときには取り付けられてブラケット３６の脱落を防止する。より詳細には、抜け止め用のビス３６ｂは、ブラケット３６が水平支持部３５に取り付けられたときに水平支持部３５の下方に配置されるように設けられており、ブラケット３６が上方へ移動しようとしたときに水平支持部３５と当接することによってブラケット３６の移動を規制し、これによってブラケット３６の脱落を防止する。
【００３８】
図５は、バックパネル３７を示す図であり、（ａ）が正面図、（ｂ）が平面図、（ｃ）が（ａ）のＡ−Ａ断面図である。これらの図に示すように、バックパネル３７は、パネル本体３７ａと、取付金具３７ｂとから構成されている。パネル本体３７ａは、支持用アーム３４の背面側を覆う板部材であり、支持用アーム３４の側方及び背面を覆うように、上方から見て略コの字状に成形されている。取付金具３７ｂは、バックパネル３７の支持用アーム３４側の面に対して２つ固定されており、支持用アーム３４に係止されることによってバックパネル３７を支持用アーム３４に対して取り付けるための部材である。
【００３９】
図６は、アンダーカバー３８を示す図であり、（ａ）が正面図、（ｂ）が平面図、（ｃ）が（ａ）のＡ−Ａ断面図である。これらの図に示すように、アンダーカバー３８は、カバー本体３８ａと、取付金具３８ｂとから構成されている。カバー本体３８ａは、脚部３０の背面側を覆う板部材であり、脚部３０の側方及び背面を覆うように、上方から見て略コの字状に成形されている。取付金具３８ｂは、アンダーカバー３８の脚部３０側の面に対して２つ固定されており、脚部３０に対して固定される。取付金具３８ｂが脚部３０に固定されることで、アンダーカバー３８全体が脚部３０に対して固定される。
【００４０】
以上のような本実施形態のテーブルシステム１によれば、モニタースタンド３００が脚部３０側から側方に向けて延設される固定用アーム３３を有しており、この固定用アーム３３が第二テーブル什器２００に形成された凹所２０１に挿入された状態で第二テーブル什器２００とモニタースタンド３００とが連結される。このような固定用アーム３３を設けることによって、固定用アーム３３の延在方向の複数個所（本実施形態では２か所）において第二テーブル什器２００とモニタースタンド３００とを連結することができ、単に第二テーブル什器２００と固定用アーム３３を有していないモニタースタンドとを並べてビス等で連結する場合と比較して、連結箇所を増設することができる。このため、１つの連結箇所に作用する応力を低減させることができる。
【００４１】
また、本実施形態のテーブルシステム１では、固定用アーム３３が脚部３０から側方に向けて延設されていることから、モニタースタンド３００を転倒させようとするモーメントの中心から遠く離間した位置（すなわちモーメントが小さい位置）において第二テーブル什器２００とモニタースタンド３００とを連結することができ、連結部（すなわちボルト３３ａ）に作用する応力を低減させることができる。さらに固定用アーム３３を設けることによって、第二テーブル什器２００とモニタースタンド３００との接触面積が増加し、連結箇所に局所的に大きな応力が作用することを抑止することができる。
【００４２】
したがって、本実施形態のテーブルシステム１によれば、モニタースタンド３００の転倒方向に作用するモーメントに対する強度的な不安を解消することができる。
【００４３】
また、本実施形態のテーブルシステム１においては、第二テーブル什器２００が、箱状の引出し本体２１とこの引出し本体２１をスライド可能に支持する支持レール２０とを有する引出し機構１３を複数備え、凹所２０１は、引出し本体２１の１つの取り外すことによって形成された引出し収容空間からなる。このため、別途凹所を形成することなく、元々設置されている引出し機構１３の引出し収容空間を利用して第二テーブル什器２００とモニタースタンド３００とを連結することができる。また、第二テーブル什器２００をモニタースタンド３００から離間させて使用する場合には、凹所２０１に引出し本体２１を収容することができるため、第二テーブル什器２００の使い勝手を高めることができる。
【００４４】
また、本実施形態のテーブルシステム１においては、第二テーブル什器２００の脚部１２同士の間に引出し収容空間が設けられている。このため、引出し収容空間に引出し本体２１を収容して使用する場合に、脚部１２と引出し本体２１とを一体的とすることができ、第二テーブル什器２００の体裁を良好に収めることが可能となる。
【００４５】
また、本実施形態のテーブルシステム１においては、脚部３０側から側方に向けて延設される角材からなる固定用アーム３３を２本有し、各固定用アーム３３が凹所２０１の水平方向の各端部に配置されている。このため、固定用アーム３３が凹所２０１に挿入されている状態で、第二テーブル什器２００がモニタースタンド３００に対して水平方向に移動することを抑制することができる。
【００４６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４７】
例えば、上記実施形態においては、本発明の横腕部が角材からなる固定用アーム３３であり、このような固定用アーム３３が水平方向に離間して２本備えられた構成について説明した。しかしながら、本発明はこれに限定されるものではなく、例えば、１枚のプレート状の横腕部を用いることも可能である。
【００４８】
また、上記実施形態においては、引出し機構１３の引出し本体２１を取り外すことによって凹所２０１を形成する構成について説明した。しかしながら、本発明はこれに限定されるものではなく、例えば、天板１１を削る等によって別途凹所を設けるようにしても良い。
【符号の説明】
【００４９】
１……テーブルシステム、１１……天板、１１ａ……作業面、１２……脚部、１２ａ……第１脚部、１２ｂ……第２脚部、１２ｃ……第３脚部、１２ｄ……第４脚部、１３……引出し機構、１３ａ……第１引出し機構、１３ｂ……第２引出し機構、１３ｃ……第３引出し機構、１３ｄ……第４引出し機構、１４……ダクト、２０……支持レール（支持手段）、２１……引出し本体、３０……脚部、３０ａ……脚体部、３０ｂ……接続部、３０ｃ……蓋部、３０ｄ……貫通孔、３１……配線トレイ、３２……コンソールボックス、３２ａ……前面パネル、３３……固定用アーム（横腕部）、３３ａ……ボルト、３３ｂ……ボルト、３４……支持用アーム（縦腕部）、３５……水平支持部、３６……ブラケット、３６ａ……係止金具、３６ｂ……ビス、３７……バックパネル、３７ａ……パネル本体、３７ｂ……取付金具、３８……アンダーカバー、３８ａ……カバー本体、３８ｂ……取付金具、１００……第一テーブル什器、２００……第二テーブル什器（テーブル什器）、２０１……凹所、３００……モニタースタンド（ディスプレイ支持什器）、Ｍ……モニター（ディスプレイ）
【図１】
2015084990.tif 000003
【図２】
2015084990.tif 000004
【図３】
2015084990.tif 000005
【図４】
2015084990.tif 000006
【図５】
2015084990.tif 000007
【図６】
2015084990.tif 000008